(57)【要約】【課題】専用メガネをかけている利用者には３Ｄ映像を見せ、専用メガネをかけていない利用者には２Ｄ映像を見せること。【解決手段】表示装置は、一枚のフレームを表示する時間を第１の表示時間、第２の表示時間、第３の表示時間に分割し、第１の表示時間に第１の画像を表示し、第２の表示時間に第１の画像と第２の画像との差分画像を表示し、第３の表示時間に第２の画像を表示する。【選択図】図１
2017108262.tif 000002
【特許請求の範囲】
【請求項１】
一枚のフレームを表示する時間を第１の表示時間、第２の表示時間、第３の表示時間に分割し、第１の表示時間に第１の画像を表示し、第２の表示時間に前記第１の画像と第２の画像との差分画像を表示し、第３の表示時間に前記第２の画像を表示する表示制御部
を有することを特徴とする表示装置。
【請求項２】
前記第１の画像は、立体画像を利用者に見せるための左目用の画像であり、第２の画像は、立体画像を利用者に見せるための右目用の画像であることを特徴とする請求項１に記載の表示装置。
【請求項３】
前記表示制御部は、前記第１の画像の画素値から前記第２の画像の画素値を減算した画像の画素値に、所定値を加算することで、前記差分画像を生成することを特徴とする請求項１または２に記載の表示装置。
【請求項４】
コンピュータが実行する表示方法であって、
一枚のフレームを表示する時間を第１の表示時間、第２の表示時間、第３の表示時間に分割し、
第１の表示時間に第１の画像を表示し、第２の表示時間に前記第１の画像と第２の画像との差分画像を表示し、第３の表示時間に前記第２の画像を表示する
処理を実行することを特徴とする表示方法。
【請求項５】
コンピュータに、
一枚のフレームを表示する時間を第１の表示時間、第２の表示時間、第３の表示時間に分割し、
第１の表示時間に第１の画像を表示し、第２の表示時間に前記第１の画像と第２の画像との差分画像を表示し、第３の表示時間に前記第２の画像を表示する
処理を実行させることを特徴とする表示プログラム。
【請求項６】
第１の表示時間に切り替わった旨の信号を受け付けた場合に、前記第１の表示時間の間、第１レンズが光を透過し、第２レンズが光を透過しないように前記第１レンズおよび前記第２レンズの光の透過率を制御し、
第２の表示時間に切り替わった旨の信号を受け付けた場合に、前記第２の表示時間の間、前記第１レンズおよび第２レンズが光を透過しないように前記第１レンズおよび前記第２レンズの光の透過率を制御し、
第３の表示時間に切り替わった旨の信号を受け付けた場合に、前記第３の表示時間の間、第１レンズが光を透過せず、第２レンズが光を透過するように前記第１レンズおよび前記第２レンズの光の透過率を制御する制御部
を有することを特徴とする視聴装置。
【発明の詳細な説明】
【技術分野】
【０００１】
本発明は、表示装置等に関する。
【背景技術】
【０００２】
従来の３Ｄ（Three  Dimensions）表示装置は、表示デバイスと特殊な専用メガネを用いることで、利用者の右目に右目用の画像が入るようにし、左目に左目用の画像が入るようにして、３Ｄ映像を利用者に見せている。例えば、３Ｄ表示装置は、偏光方式、波長分割方式、時間分割方式等の２眼３Ｄ方式を用いる。
【０００３】
偏光方式は、左右の画像を二種類の偏光に割り当てて表示する。専用メガネは、それぞれの偏光のみを通すフィルタを付けて、左右の映像を分離させる。
【０００４】
波長分割方式は、色の３原色として、（Ｒ１、Ｇ１、Ｂ１）と、（Ｒ２、Ｇ２、Ｂ２）の２セット６種類を表示可能なディスプレイを準備し、右目画像には（Ｒ１、Ｇ１、Ｂ１）を表示し、左目画像には（Ｒ２、Ｇ２、Ｂ２）を表示する。専用メガネは、右目は（Ｒ１、Ｇ１、Ｂ１）のみを通す光学フィルタを用い、左目は（Ｒ１、Ｇ１、Ｂ１）のみを通す光学フィルタを用いる。
【０００５】
時間分割方式は、右目画像、左目画像が交互に連続する映像を表示させる。専用メガネは映像の表示に合わせて左右のメガネのシャッターを駆動する。例えば、時間分割方式は、右目画像が表示されるタイミングで、右目のシャッターを開け、左目のシャッターを閉じる。時間分割方式は、左目画像が表示されるタイミングで、左目のシャッターを開け、右目のシャッターを閉じる。
【０００６】
ここで、民生テレビで広く用いられる時間分割方式について具体的に説明する。図１２は、従来の時間分割方式を説明するための図である。図１２に示すように、時間分割方式は、ディスプレイの表示時間を、第１の表示時間と第２の表示時間に分ける。例えば、第１の表示時間に左目画像５ａを表示し、第２の表示時間に右目画像５ｂを表示する。なお、第１の表示時間と第２の表示時間の順番は入れ替わっても良い。
【０００７】
また、専用メガネは、第１の表示時間において、左目用のレンズ６ａが透過し、第２の表示時間において、右目用のレンズ６ｂが透過するように制御する。これにより、左目画像は左目に、右目画像は右目にはいるので、利用者に立体画像を見せることが出来る。
【０００８】
ほとんどの３Ｄ対応テレビは、シャッター切り替えを意識させないため、右目・左目画像が毎秒６０枚撮影・表示される一般的なテレビにおいて、６０Ｈｚで入力される同一画像を２回〜４回、繰り返しシャッター切り替えを行う方式が用いられている。
【０００９】
ところで、２眼３Ｄ方式は、３Ｄ視聴には専用メガネを用いることが前提となっているため、専用メガネをかけない人は、映像が二重像に見えてしまう。
【００１０】
上記課題に対して、従来技術１がある。従来技術１は、利用者が３Ｄを視聴するための専用メガネをかけているか否かをリモコン等の使用状況で判定する。そして、従来技術１は、利用者がメガネをかけている場合には、３Ｄ映像を表示し、利用者がメガネをかけていない場合には、２Ｄ映像を表示する。
【００１１】
従来技術１では、専用メガネをかけた利用者と専用メガネをかけていない利用者とが別々に視聴する場合には有効である。しかし、従来技術１では、専用メガネをかけた利用者と、専用メガネをかけていない利用者とが同時にテレビを視聴することができなかった。
【００１２】
これに対して、専用メガネをかけた利用者と、専用メガネをかけていない利用者とが同時に映像を視聴することができる従来技術２がある。図１３は、従来技術２を説明するための図である。図１３に示すように従来技術２は、入力映像信号１０ａから、左目用画像１０ｂと、右目用画像１０ｃを生成する。従来技術２は、左目用画像１０ｂと、右目用画像１０ｃとを組み合わせて３Ｄ画像１０ｄを生成し、３Ｄ画像１０ｄを縦横１／２に縮小することで、３Ｄ画像１０ｅを生成する。
【００１３】
従来技術２は、右目用画像１０ｃを縦横１／２に縮小することで、２Ｄ画像１０ｆを生成する。従来技術２は、３Ｄ画像１０ｅと、２Ｄ画像１０ｆとが混在した混合画像１０ｇを生成し、ディスプレイに表示させる。例えば、混合画像１０ｇの左側の画像は、３Ｄ画像であり、右側の画像は２Ｄ画像であるため、専用メガネをかけた利用者と、専用メガネをかけていない利用者とが同時に映像を視聴することができる。
【先行技術文献】
【特許文献】
【００１４】
【特許文献１】特開２０１１−２３４１３６号公報
【発明の概要】
【発明が解決しようとする課題】
【００１５】
しかしながら、上述した従来技術では、専用メガネをかけている利用者には３Ｄ映像を見せ、専用メガネをかけていない利用者には２Ｄ映像を見せることが出来ないという問題がある。
【００１６】
例えば、従来技術２では、ディスプレイに混合画像１０ｇを表示させるため、専用メガネをかけた利用者は３Ｄ映像の他に不要な２Ｄ映像が視界に入り、専用メガネをかけていない利用者は２Ｄ映像の他にぼやけた３Ｄ映像が視界に入る。また、混合画像１０ｇに表示される３Ｄ画像１０ｅおよび２Ｄ画像１０ｆは、元画像を１／２に縮小した画像を用いる。このため、従来技術２では、利用者の満足度が低下するだけでなく、使用感等も損なってしまう。
【００１７】
１つの側面では、本発明は、専用メガネをかけている利用者には３Ｄ映像を見せ、専用メガネをかけていない利用者には２Ｄ映像を見せることができる表示装置、表示方法、表示プログラムおよび視聴装置を提供することを目的とする。
【課題を解決するための手段】
【００１８】
第１の案では、表示装置は、表示制御部を有する。表示制御部は、一枚のフレームを表示する時間を第１の表示時間、第２の表示時間、第３の表示時間に分割し、第１の表示時間に第１の画像を表示し、第２の表示時間に第１の画像と第２の画像との差分画像を表示し、第３の表示時間に第２の画像を表示する。
【発明の効果】
【００１９】
専用メガネをかけている利用者には３Ｄ映像を見せ、専用メガネをかけていない利用者には２Ｄ映像を見せることができる。
【図面の簡単な説明】
【００２０】
【図１】図１は、本実施例に係るシステムの構成を示す図である。
【図２】図２は、各フレームと各表示時間との関係を説明するための図である。
【図３】図３は、各表示時間と各レンズの透過との関係を示す図である。
【図４】図４は、視聴装置を装着していない利用者の見え方を説明するための図である。
【図５】図５は、本実施例に係る３Ｄ表示装置の構成を示す機能ブロック図である。
【図６】図６は、本実施例に係る視聴装置の構成を示す機能ブロック図である。
【図７】図７は、透過制御部の処理を説明するための図である。
【図８】図８は、本実施例に係る３Ｄ表示装置の処理手順を示すフローチャートである。
【図９】図９は、本実施例に係る視聴装置の処理手順を示すフローチャートである。
【図１０】図１０は、３Ｄ表示装置のハードウェア構成の一例を示す図である。
【図１１】図１１は、視聴装置のハードウェア構成の一例を示す図である。
【図１２】図１２は、従来の時間分割方式を説明するための図である。
【図１３】図１３は、従来技術２を説明するための図である。
【発明を実施するための形態】
【００２１】
以下に、本願の開示する表示装置、表示方法、表示プログラムおよび視聴装置の実施例を図面に基づいて詳細に説明する。なお、この実施例によりこの発明が限定されるものではない。
【実施例】
【００２２】
図１は、本実施例に係るシステムの構成を示す図である。図１に示すように、このシステムは、３Ｄ（Three  Dimensions）表示装置１００と、視聴装置２００とを有する。３Ｄ映像を視聴する利用者は、視聴装置２００を装着して、３Ｄ表示装置１００を視聴する。また、２Ｄ映像を視聴する利用者は、視聴装置２００を装着しないで、３Ｄ表示装置１００を視聴する。視聴装置２００は、左レンズ２００ａと、右レンズ２００ｂとを有する。３Ｄ表示装置１００は、表示装置の一例である。
【００２３】
３Ｄ表示装置１００は、２４Ｈｚ、２９．９７Ｈｚ、５９．９４Ｈｚ等で連続するフレームを繰り返し表示することで、映像を表示する。ここで、３Ｄ表示装置１００は、一枚のフレームを表示する時間を、第１の表示時間、第２の表示時間、第３の表示時間に分割する。３Ｄ表示装置１００は、第１の表示時間に左目用の画像を表示し、第２の表示時間に左目用の画像と右目用の画像との差分画像を表示し、第３の表示時間に右目用の画像を表示する。以下の説明では、左目用の画像を左画像と表記し、右目用の画像を右画像と表記する。
【００２４】
図２は、各フレームと各表示時間との関係を説明するための図である。例えば、５９．９４Ｈｚでフレームを切り替える場合には、１つのフレームを表示する時間は１／５９．９４ｓとなる。３Ｄ表示装置１００は、この１つのフレームを表示する時間「１／５９．９４ｓ」の間に、少なくとも「第１の表示時間、第２の表示時間、第３の表示時間」の組を１回、割り当てる。図２に示す例では、１つのフレームを表示する時間に、「第１の表示時間、第２の表示時間、第３の表示時間」が３回割り当てられる例を示すが、これに限定されるものではなく、１回でもよいし、２回でもよい。また、「第１の表示時間、第２の表示時間、第３の表示時間」の組であれば、第１の表示時間、第２の表示時間、第３の表示時間の順番はどのような順でも良い。
【００２５】
一般的に、人間は、６０Ｈｚまではフレームを認識できると言われている。このため、「第１の表示時間、第２の表示時間、第３の表示時間」を２回繰り返す場合には、第一、第二、第三の各表示時間の切り替えは２×６０×３＝３６０Ｈｚとなり、３回繰り返す場合には、切り替えは５４０Ｈｚとなる。３６０Ｈｚ、５４０Ｈｚは、人の知覚限界を超えるので、利用者は切り替えを認識できなくなる。
【００２６】
視聴装置２００は、シャッター等を用いて透過率を制御可能な左レンズ２００ａおよび右レンズ２００ｂを有する。例えば、視聴装置２００は、シャッター方式の３Ｄメガネに対応する。視聴装置２００は、３Ｄ表示装置１００から、現在の表示時間が、第１の表示時間であるか、第２の表示時間であるか、第３の表示時間であるのかの情報を受信し、受信した情報を基にして、左レンズ２００ａおよび右レンズ２００ｂの透過率を制御する。
【００２７】
図３は、各表示時間と各レンズの透過との関係を示す図である。図３に示すように、第１の表示時間において、３Ｄ表示装置１００は、左画像２０ａを表示する。また、第１の表示時間において、視聴装置２００は、左レンズ２００ａが光を透過するように透過率を制御し、右レンズ２００ｂが光を透過しないように透過率を制御する。これにより、左画像２０ａは、視聴装置２００を装着した利用者の左目に到達し、右画像２０ｂは、視聴装置２００を装着した利用者の右目に到達しない。
【００２８】
第２の表示時間において、３Ｄ表示装置１００は、差分画像２０ｂを表示する。また、第２の表示時間において、視聴装置２００は、左レンズ２００ａおよび右レンズ２００ｂが光を透過しないように透過率を制御する。これにより、差分画像２０ｂは、視聴装置２００を装着した利用者の目に到達しない。
【００２９】
第３の表示時間において、３Ｄ表示装置１００は、右画像２０ｃを表示する。また、第３の表示時間において、視聴装置２００は、右レンズ２００ｂが光を透過するように透過率を制御し、左レンズ２００ａが光を透過しないように透過率を制御する。これにより、右画像２０ｃは、視聴装置２００を装着した利用者の左目に到達せず、視聴装置２００を装着した利用者の右目に到達する。
【００３０】
図３で説明したように、視聴装置２００を装着した利用者は、第１の表示時間において左画像２０ａが左目に入り、第３の表示時間において右画像２０ｃが右目に入るため、利用者は、立体画像を見ることができる。
【００３１】
これに対して、視聴装置２００を装着していない利用者は、左画像２０ａ、差分画像２０ｂ、右画像２０ｃを足したものが見える。図４は、視聴装置を装着していない利用者の見え方を説明するための図である。例えば、左画像２０ａを「Left_Frame」、右画像２０ｃを「Right_Frame」とすると、差分画像２０ｂは「Left_Frame-Right_Frame+C」となる。Cは、差分画像２０ｂが負の値にならないことを保証するためのオフセットである。
【００３２】
例えば、左画像２０ａと、差分画像２０ｂと、右画像２０ｃとを足し合わせると、画像２０ｄ「2×Left_Frame+C」が生成される。画像２０ｄは、左画像２０ａの２倍の明るさにオフセットCが加算されたものである。このため、視聴装置２００を装着していない利用者は、左画像２０ａを認知することになる。
【００３３】
上記のように、本実施例に係る３Ｄ表示装置１００および視聴装置２００によれば、視聴装置２００を装着している利用者には３Ｄ映像を見せ、視聴装置２００を装着していない利用者には２Ｄ映像を見せることができる。
【００３４】
次に、図１に示した３Ｄ表示装置１００の構成について説明する。図５は、本実施例に係る３Ｄ表示装置の構成を示す機能ブロック図である。図５に示すように、この３Ｄ表示装置１００は、画像取得部１１０と、差分画像生成部１２０と、表示制御部１３０と、表示時間通知部１４０と、ディスプレイ１５０とを有する。
【００３５】
画像取得部１１０は、図示しない外部装置等から３Ｄ映像の各フレームに対応する左画像のデータおよび右画像のデータの組を順次取得する処理部である。画像取得部１１０は、左画像のデータおよび右画像のデータの組を取得する度に、左画像のデータおよび右画像のデータの組を、差分画像生成部１２０に出力する。
【００３６】
また、画像取得部１１０は、左画像のデータおよび右画像のデータの組を取得する度に、左画像のデータを、表示制御部１３０の入力部１３１に出力し、右画像のデータを、表示制御部１３０の入力部１３３に出力する。
【００３７】
差分画像生成部１２０は、左画像のデータおよび右画像のデータの組を取得する度に、左画像のデータおよび右画像のデータを基にして、差分画像を生成する処理部である。差分画像生成部１２０は、差分画像のデータを、表示制御部１３０の入力部１３２に出力する。
【００３８】
ここで、差分画像生成部１２０が差分画像を生成する処理の一例について説明する。例えば、差分画像の画素毎に、画素値を、式（１）に基づいて算出することで、差分画像の各画素の画素値を算出する。なお、差分画像生成部１２０は、画素の画素値が０未満となる場合には、該当する画素の画素値を０に設定する。
【００３９】
差分画像の画素の画素値（ＲＧＢ値）＝左画像の画素の画素値（ＲＧＢ値）−右画像の画素の画素値（ＲＧＢ値）＋オフセットＣ（ＲＧＢ値）・・・（１）
【００４０】
差分画像生成部１２０は、オフセットＣを、式（２）により算出する。差分画像生成部１２０は、左画像と右画像との差分値を画素毎に算出し、各画素の差分値のうち、最小の差分値を、ＤｉｆｆＭｉｎの値とする。
【００４１】
オフセットＣ＝−ＤｉｆｆＭｉｎ・・・（２）
【００４２】
なお、差分画像生成部１２０は、式（２）とは別の処理を実行して、オフセットＣを算出しても良い。例えば、差分画像生成部１２０は、事前に、左画像と右画像との差分値を所定期間蓄積しておき、蓄積しておいた各差分の分散σを計算し、式（３）に基づいて、オフセットＣを算出してもよい。式（３）のａは、２〜３の値であり、利用者に予め設定される。
【００４３】
オフセットＣ＝ａ×σ・・・（３）
【００４４】
表示制御部１３０は、第１の表示時間に、左画像をディスプレイ１５０に表示させ、第２の表示時間に、差分画像をディスプレイ１５０に表示させ、第３の表示時間に、右画像をディスプレイ１５０に表示させる処理部である。表示制御部１３０は、入力部１３１，１３２，１３３と、選択部１３４と、表示時間制御部１３５とを有する。
【００４５】
入力部１３１は、画像取得部１１０から、左画像のデータの入力を受け付ける。入力部１３３は、画像取得部１１０から、右画像のデータの入力を受け付ける。入力部１３２は、差分画像生成部１２０から、差分画像のデータの入力を受け付ける。
【００４６】
選択部１３４は、現在の表示時間が、第１の表示時間であるか、第２の表示時間であるか、第３の表示時間であるかの情報を、表示時間制御部１３５から取得し、取得した情報に基づき、入力部１３１〜１３３のいずれかを選択する処理部である。
【００４７】
選択部１３４は、現在の時間が、第１の表示時間である場合には、入力部１３１を選択し、入力部１３１から入力される左画像のデータを、ディスプレイ１５０に表示させる。選択部１３４は、現在の時間が、第２の表示時間である場合には、入力部１３２を選択し、入力部１３２から入力される差分画像のデータを、ディスプレイ１５０に表示させる。現在の時間が、第３の表示時間である場合には、入力部１３３を選択し、入力部１３３から入力される右画像のデータを、ディスプレイ１５０に表示させる。
【００４８】
表示時間制御部１３５は、１枚のフレームを表示する時間を、第１の表示時間、第２の表示時間、第３の表示時間に分割し、現在の表示時間が、いずれの表示時間であるかを、選択部１３４および表示時間通知部１４０に出力する処理部である。
【００４９】
表示時間制御部１３５が利用する、１枚のフレームを表示する時間や、１枚のフレームを表示する時間において、「第１の表示時間、第２の表示時間、第３の表示時間」の組を何回割り当てるのかは、事前に設定されているものとする。
【００５０】
表示時間通知部１４０は、現在の表示時間が、第１〜第３の表示時間のうち、いずれの表示時間であるかの情報を、視聴装置２００に通知する処理部である。
【００５１】
ディスプレイ１５０は、表示制御部１３０の選択部１３４から取得する画像データを表示する表示装置である。
【００５２】
次に、図１に示した視聴装置２００の構成について説明する。図６は、本実施例に係る視聴装置の構成を示す機能ブロック図である。図６に示すように、この視聴装置２００は、左レンズ２００ａと、右レンズ２００ｂと、通信部２１０と、透過制御部２２０とを有する。
【００５３】
左レンズ２００ａおよび右レンズ２００ｂは、透過制御部２２０からの制御命令に従って、光の透過率を変更するレンズである。例えば、左レンズ２００ａおよび右レンズ２００ｂは、シャッターを開くまたは閉める動作を行い、透過率を１００％または０％に変更する。
【００５４】
通信部２１０は、３Ｄ表示装置１００の表示時間通知部１４０との間でデータ通信を実行し、表示時間通知部１４０から、現在の表示時間が、第１〜第３の表示時間のうち、いずれの表示時間であるかの情報を受信する処理部である。通信部２１０は、受信した情報を、透過制御部２２０に出力する。
【００５５】
透過制御部２２０は、表示時間の情報を基にして、左レンズ２００ａおよび右レンズ２００ｂの透過率を制御する処理部である。図７は、透過制御部の処理を説明するための図である。図７に示すように、透過制御部２２０は、現在の表示時間が第１の表示時間である場合には、左レンズ２００ａのシャッターを開け、右レンズ２００ｂのシャッターを閉じる。透過制御部２２０は、現在の表示時間が第２の表示時間である場合には、左レンズ２００ａおよび右レンズ２００ｂのシャッターを閉じる。透過制御部２２０は、現在の表示時間が第３の表示時間である場合には、左レンズ２００ａのシャッターを閉じ、右レンズ２００ｂのシャッターを開ける。
【００５６】
次に、本実施例に係る３Ｄ表示装置１００の処理手順について説明する。図８は、本実施例に係る３Ｄ表示装置の処理手順を示すフローチャートである。図８に示すように、３Ｄ表示装置１００の画像取得部１１０は、左画像のデータおよび右画像のデータを取得する（ステップＳ１０１）。３Ｄ表示装置１００の差分画像生成部１２０は、差分画像のデータを生成する（ステップＳ１０２）。
【００５７】
３Ｄ表示装置１００の表示制御部１３０は、表示時間が、第１の表示時間であるか、第２の表示時間であるか、第３の表示時間であるかを判定する（ステップＳ１０３）。表示時間が、第１の表示時間である場合には（ステップＳ１０３、第１の表示時間）、３Ｄ表示装置１００の表示時間通知部１４０が、第１の表示時間である旨の情報を、視聴装置２００に送信する（ステップＳ１０４）。表示制御部１３０は、左画像のデータをディスプレイ１５０に表示させ（ステップＳ１０５）、ステップＳ１１０に移行する。
【００５８】
表示時間が、第２の表示時間である場合には（ステップＳ１０３、第２の表示時間）、表示時間通知部１４０が、第２の表示時間である旨の情報を、視聴装置２００に送信する（ステップＳ１０６）。表示制御部１３０は、差分画像のデータをディスプレイ１５０に表示させ（ステップＳ１０７）、ステップＳ１１０に移行する。
【００５９】
表示時間が、第３の表示時間である場合には（ステップＳ１０３、第３の表示時間）、表示時間通知部１４０が、第３の表示時間である旨の情報を、視聴装置２００に送信する（ステップＳ１０８）。表示制御部１３０は、右画像のデータをディスプレイ１５０に表示させ（ステップＳ１０９）、ステップＳ１１０に移行する。
【００６０】
３Ｄ表示装置１００は、処理を継続する場合には（ステップＳ１１０，Ｙｅｓ）、ステップＳ１０１に移行する。一方、３Ｄ表示装置１００は、処理を継続しない場合には（ステップＳ１１０，Ｎｏ）、処理を終了する。
【００６１】
次に、本実施例に係る視聴装置２００の処理手順について説明する。図９は、本実施例に係る視聴装置の処理手順を示すフローチャートである。図９に示すように、視聴装置２００の通信部２１０は、３Ｄ表示装置１００の表示時間通知部１４０から、表示時間の情報を受信する（ステップＳ２０１）。
【００６２】
視聴装置２００の透過制御部２２０は、表示時間が、第１の表示時間であるか、第２の表示時間であるか、第３の表示時間であるかを判定する（ステップＳ２０２）。透過制御部２２０は、表示時間が第１の表示時間である場合には（ステップＳ２０２、第１の表示時間）、左レンズ２００ａのシャッターを開け、右レンズ２００ｂのシャッターを閉じ（ステップＳ２０３）、ステップＳ２０６に移行する。
【００６３】
透過制御部２２０は、表示時間が第２の表示時間である場合には（ステップＳ２０２、第２の表示時間）、左レンズ２００ａおよび右レンズ２００ｂのシャッターを閉じ（ステップＳ２０４）、ステップＳ２０６に移行する。
【００６４】
透過制御部２２０は、表示時間が第３の表示時間である場合には（ステップＳ２０２、第３の表示時間）、左レンズ２００ａのシャッターを閉じ、右レンズ２００ｂのシャッターを開け（ステップＳ２０５）、ステップＳ２０６に移行する。
【００６５】
視聴装置２００は、処理を継続する場合には（ステップＳ２０６，Ｙｅｓ）、ステップＳ２０１に移行する。視聴装置２００は、処理を継続しない場合には（ステップＳ２０６，Ｎｏ）、処理を終了する。
【００６６】
次に、本実施例に係る３Ｄ表示装置１００および視聴装置２００の効果について説明する。３Ｄ表示装置１００は、１枚のフレームを表示する時間を、第１〜第３の表示時間に分割し、第１の表示時間に左画像、第２の表示時間に差分画像、第３の表示時間に右画像を表示する。また、視聴装置２００は、第１の表示時間に左レンズ２００ａのシャッターを開き、右レンズ２００ｂのシャッターを閉じる。視聴装置２００は、第２の表示時間に左レンズ２００ａおよび右レンズ２００ｂのシャッターを閉じる。視聴装置２００は、第３の表示時間に左レンズ２００ａのシャッターを閉じ、右レンズ２００ｂのシャッターを開ける。これにより、視聴装置２００を装着している利用者には３Ｄ映像を見せ、視聴装置２００を装着していない利用者には２Ｄ映像を見せることができる。
【００６７】
例えば、図３で説明したように、視聴装置２００を装着した利用者は、第１の表示時間において左画像が左目に入り、第３の表示時間において右画像が右目に入るため、利用者は、立体画像を見ることができる。また、視聴装置２００を装着していない利用者は、左画像、右画像、差分画像を加算した結果の画像（左画像に相当する画像）を見るため、適切に２Ｄの映像を見ることができる。
【００６８】
また、３Ｄ表示装置１００は、差分画像を生成する場合に、左画像から右画像を減算した画像にオフセットＣを加算する。このため、差分画像に含まれる各画素の画素値を正の値に調整することができる。
【００６９】
続いて、図１に示した３Ｄ表示装置１００のハードウェア構成図の一例と、視聴装置２００のハードウェア構成の一例について説明する。図１０は、３Ｄ表示装置のハードウェア構成の一例を示す図である。
【００７０】
図１０に示すように、コンピュータ３００は、各種演算処理を実行するＣＰＵ３０１と、ユーザからのデータの入力を受け付ける入力装置３０２と、ディスプレイ３０３とを有する。また、コンピュータ３００は、記憶媒体からプログラム等を読み取る読み取り装置３０４と、ネットワークを介して他のコンピュータとの間でデータの授受を行うインターフェース装置３０５を有する。また、コンピュータ３００は、各種情報を一時記憶するＲＡＭ３０６と、ハードディスク装置３０７とを有する。そして、各装置３０１〜３０７は、バス３０８に接続される。
【００７１】
ハードディスク装置３０７は、表示制御プログラム３０７ａを有する。ＣＰＵ３０１は、表示制御プログラム３０７ａを読み出してＲＡＭ３０６に展開する。表示制御プログラム３０７ａは、表示制御プロセス３０６ａとして機能する。表示制御プロセス３０６ａの処理は、例えば、画像取得部１１０、差分画像生成部１２０、表示制御部１３０、表示時間通知部１４０の処理に対応する。
【００７２】
なお、表示制御プログラム３０７ａについては、必ずしも最初からハードディスク装置３０８に記憶させておかなくても良い。例えば、コンピュータ３００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ３００が表示制御プログラム３０７ａを読み出して実行するようにしてもよい。
【００７３】
図１１は、視聴装置のハードウェア構成の一例を示す図である。図１１に示すように、コンピュータ４００は、ＣＰＵ４０１と、シャッター方式によりシャッターを開閉可能な左メガネ４０２および右メガネ４０３を有する。また、コンピュータ４００は、通信装置４０４と、ＲＡＭ４０５と、記憶装置４０６とを有する。各装置４０１〜４０６は、バス４０７に接続される。
【００７４】
記憶装置４０６は、透過制御プログラム４０６ａを有する。ＣＰＵ４０１は、透過制御プログラム４０６ａを読み出してＲＡＭ４０５に展開する。透過制御プログラム４０６ａは、透過制御プロセス４０５ａとして機能する。透過制御プロセス４０５ａの処理は、透過制御部２２０の処理に対応する。
【００７５】
なお、透過制御プログラム４０６ａについては、必ずしも最初から記憶装置４０６に記憶させておかなくても良い。例えば、コンピュータ４００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ４００が透過制御プログラム４０６ａを読み出して実行するようにしてもよい。
【００７６】
以上の各実施例を含む実施形態に関し、さらに以下の付記を開示する。
【００７７】
（付記１）一枚のフレームを表示する時間を第１の表示時間、第２の表示時間、第３の表示時間に分割し、第１の表示時間に第１の画像を表示し、第２の表示時間に前記第１の画像と第２の画像との差分画像を表示し、第３の表示時間に前記第２の画像を表示する表示制御部
を有することを特徴とする表示装置。
【００７８】
（付記２）前記第１の画像は、立体画像を利用者に見せるための左目用の画像であり、第２の画像は、立体画像を利用者に見せるための右目用の画像であることを特徴とする付記１に記載の表示装置。
【００７９】
（付記３）前記表示制御部は、前記第１の画像の画素値から前記第２の画像の画素値を減算した画像の画素値に、所定値を加算することで、前記差分画像を生成することを特徴とする付記１または２に記載の表示装置。
【００８０】
（付記４）コンピュータが実行する表示方法であって、
一枚のフレームを表示する時間を第１の表示時間、第２の表示時間、第３の表示時間に分割し、
第１の表示時間に第１の画像を表示し、第２の表示時間に前記第１の画像と第２の画像との差分画像を表示し、第３の表示時間に前記第２の画像を表示する
処理を実行することを特徴とする表示方法。
【００８１】
（付記５）前記第１の画像は、立体画像を利用者に見せるための左目用の画像であり、第２の画像は、立体画像を利用者に見せるための右目用の画像であることを特徴とする付記４に記載の表示方法。
【００８２】
（付記６）前記表示する処理は、前記第１の画像の画素値から前記第２の画像の画素値を減算した画像の画素値に、所定値を加算することで、前記差分画像を生成することを特徴とする付記４または５に記載の表示方法。
【００８３】
（付記７）コンピュータに、
一枚のフレームを表示する時間を第１の表示時間、第２の表示時間、第３の表示時間に分割し、
第１の表示時間に第１の画像を表示し、第２の表示時間に前記第１の画像と第２の画像との差分画像を表示し、第３の表示時間に前記第２の画像を表示する
処理を実行させることを特徴とする表示プログラム。
【００８４】
（付記８）前記第１の画像は、立体画像を利用者に見せるための左目用の画像であり、第２の画像は、立体画像を利用者に見せるための右目用の画像であることを特徴とする付記７に記載の表示プログラム。
【００８５】
（付記９）前記表示する処理は、前記第１の画像の画素値から前記第２の画像の画素値を減算した画像の画素値に、所定値を加算することで、前記差分画像を生成することを特徴とする付記７または８に記載の表示プログラム。
【００８６】
（付記１０）第１の表示時間に切り替わった旨の信号を受け付けた場合に、前記第１の表示時間の間、第１レンズが光を透過し、第２レンズが光を透過しないように前記第１レンズおよび前記第２レンズの光の透過率を制御し、
第２の表示時間に切り替わった旨の信号を受け付けた場合に、前記第２の表示時間の間、前記第１レンズおよび第２レンズが光を透過しないように前記第１レンズおよび前記第２レンズの光の透過率を制御し、
第３の表示時間に切り替わった旨の信号を受け付けた場合に、前記第３の表示時間の間、第１レンズが光を透過せず、第２レンズが光を透過するように前記第１レンズおよび前記第２レンズの光の透過率を制御する制御部
を有することを特徴とする視聴装置。
【符号の説明】
【００８７】
１００  ３Ｄ表示装置
２００  視聴装置
【図１】
2017108262.tif 000003
【図２】
2017108262.tif 000004
【図３】
2017108262.tif 000005
【図４】
2017108262.tif 000006
【図５】
2017108262.tif 000007
【図６】
2017108262.tif 000008
【図７】
2017108262.tif 000009
【図８】
2017108262.tif 000010
【図９】
2017108262.tif 000011
【図１０】
2017108262.tif 000012
【図１１】
2017108262.tif 000013
【図１２】
2017108262.tif 000014
【図１３】
2017108262.tif 000015